(57)【要約】【課題】  ATMブースを鉄筋コンクリート製で形成するが、コンクリート製のブース部材の構成に工夫を凝らすことにより、施工面や工期、或は、コスト面でより合理性があり、また、防盗性においても建設機械等の重機に対して優れた防禦性能を発揮する強固なATMブースを提供すること。【解決手段】  床，天井，少なくとも１箇所に扉を有する出入口を設けた四周の側壁を備え、内部にATMを設置するようにしたATMブースにおいて、そのブースを、当該ブースの少なくとも天井と側壁において前部と後部、又は、左側と右側で少なくとも２分した形態のコンクリート製ブース部材を結合一体化することにより形成したこと。【選択図】図１
2006134240.tif 000002
【特許請求の範囲】
【請求項１】
床，天井，少なくとも１箇所に扉を有する出入口を設けた四周の側壁を備え、内部にATMを設置するようにしたATMブースにおいて、そのブースを、当該ブースの少なくとも天井と側壁において前部と後部、又は、左側と右側で少なくとも２分した形態のコンクリート製ブース部材を結合一体化することにより形成したことを特徴とする現金自動取扱機用ブース。
【請求項２】
床，天井，少なくとも１箇所に扉を有する出入口を設けた四周の側壁を備え、内部にATMを設置するようにしたATMブースにおいて、そのブースを、当該ブースの少なくとも天井と側壁において前部と後部、又は、左側と右側で少なくとも２分した形態のコンクリート製ブース部材のユニットに形成し、各ユニットを貨物トラック等によりATMブースの設置現場に搬入し、その搬入場所で前記各ユニットを結合一体化することによってATMブースに形成したことを特徴とする現金自動取扱機用ブース。
【請求項３】
ブースの床を別途施工，設置しておき、その床の上に少なくとも２分した前記ブース部材を前記床と結合固定した請求項１又は２の現金自動取扱機用ブース。
【請求項４】
すくなくとも２分した側壁，天井側のブース部材と一体構造の床であって、その床は前記側壁，天井側と同様に少なくとも２分した構造である請求項１〜３のいずれかの現金自動取扱機用ブース。
【請求項５】
ブース部材の分割型態は、少なくとも３分割形態にした請求項１〜４のいずれかの現金自動取扱機用ブース。
【請求項６】
ブース部材は、ブースの前，後壁のブース部材とそれらに挟まれた少なくとも１つの中間ブース部材により形成した請求項５の現金自動取扱機用ブース。
【請求項７】
各ブース部材同士、又は、各ブース部材同士と床は、ボルト結合により連結した請求項１〜３又は４，５のいずれかの現金自動取扱機用ブース。
【請求項８】
各ブース部材は、少なくとも２層配筋の鉄筋コンクリート製で形成した請求項１〜７のいずれかの現金自動取扱機用ブース。
【発明の詳細な説明】
【技術分野】
【０００１】
本発明はATM（現金自動受払機）などのように自動的に現金を取扱う機械／装置（以下、単にATMという）の設置スペースであって、金融店舗などの建屋の脇などに独立して設置した小型建物などによるATMブースに代わるいわば要塞型の強固なATMブースに関する。
【背景技術】
【０００２】
近時、建屋の外に設置されたATMブースでは、ATMブース自体が建設機械などの重機によって破壊され、内部のATM自体を持去るという盗難事件が多発している。
【０００３】
ATMブースが、例えば銀行等の金融店舗の外部に、建物状ブース内に設置されているとはいえ、独立した形態で設けられるのは、金融機関の営業形態が変わり、ATMについては、例えば24時間利用できる営業形態が採られるようになったためであり、金融店舗本体は営業時間外ということで閉鎖されても、ATMはいつでも利用できるように、その店舗の外部に設置されるからである（例えば、特許文献１，２参照）。
【０００４】
しかし乍ら、ATMを設置した建物状のブース自体が建設機械などの重機により攻撃されると、従来のATMブースはその大半が型鋼などによるブースフレームを鉄板製の壁材でカバーした形態のものであるため、比較的容易に破壊されてしまうという問題があり、近時頻発しているATM盗難事件は、その殆んどがこのタイプのATMブースにおいて発生している。
【０００５】
この点に対応するには、ATMブースを、例えば金庫室の壁のような高い防盗性や耐破壊性が付与された鉄筋コンクリート製にすれば、そのATMブースを建設機械によって容易に破壊することはできないので、従来の上記問題の解決策の一つにはなるが、すべてのATMブースを今からそのような構造にするには、工期やコストなど様々な面で現実的でない。
【特許文献１】特開平６−３３６６７号公報
【特許文献２】登録実用新案第３０５２８０６号公報
【発明の開示】
【発明が解決しようとする課題】
【０００６】
そこで本発明では、ATMブースを鉄筋コンクリート製で形成するが、コンクリート製のブース部材の構成に工夫を凝らすことにより、施工面や工期、或は、コスト面でより合理性があり、また、防盗性においても建設機械等の重機に対して優れた防禦性能を発揮する強固なATMブースを提供することをその課題とするものである。
【課題を解決するための手段】
【０００７】
上記課題を解決することを目的としてなされた本発明ATMブースの構成は、床，天井，少なくとも１箇所に扉を有する出入口を設けた四周の側壁を備え、内部にATMを設置するようにしたATMブースにおいて、そのブースを、当該ブースの少なくとも天井と側壁において前部と後部、又は、左側と右側で少なくとも２分した形態のコンクリート製ブース部材を結合一体化することにより形成したことを特徴とするものである。なお、前記ブース部材には、天井と側壁を含むブース部材のほか、前，後壁のみ又は側壁のみを分けて形成したブース部材もある。
【０００８】
上記構成の本発明ATMブースにおいて、２分した側壁，天井側のブース部材と一体構造で床を少なくとも２分した構造とするか、或は、ブースの床を別途施工，設置しておき、その上に少なくとも２分した前記ブース部材を載置して前記床と結合固定するかは任意である。また、ブース部材の分割形態は、前後又は左右での２分割形態に限られず、３分割以上の分割形態であってもよい。分割形態を採ることによりATMブースの構成部材をユニット化することができ、ユニットしたブース部材はトラック等により容易にATM設置現場に運搬し、そこで各ユニットを結合一体化することにより強固なATMブースを構築できる利点がある。
【０００９】
更に、本発明ATMブースを構成するための少なくとも２分したブース部材は、コンクリート製の土木用暗渠やそのような暗渠用のブロック体を製造する場合と略同様の技術により製造できるので、コンクリート製のATMブース用の型枠を新たに設計，製造するに当り、既存技術を利用することができ、この点でも有利である。
【００１０】
また、既存型枠も利用できるので、コンクリート内部に使用する鉄筋の数やその配置形態などは、随意に変更することができ、従って、所望の強度を有するコンクリート製のブース部材を容易かつ低コストに製造することができる。
【００１１】
更にまた、本発明の各ブース部材は、各ブース部材同士を壁厚の内部に埋設される複数の連結ボルトなどにより連結して結合するから、ブース全体を強固に一体化された緊締構造にすることができる。
【発明の効果】
【００１２】
本発明ATMブースは、その床，天井及び側壁をコンクリート製で形成すると共に、そのブースを、当該ブースの少なくとも天井と側壁において前，後部又は左右で少なくとも２分したブース部材を結合一体化することにより形成する構造を採用したことにより、ブース部材をコンクリート製暗渠やそのコンクリートブロックのための型枠技術を利用して製造することができ、しかも、コンクリート内部に配置する鉄筋の量や配置態様は自由に設定することができるので、コンクリート製ATMブースであり乍ら、短い工期でしかも低コストでコンクリート製の強固なATMブースを提供することができる。
【発明を実施するための最良の形態】
【００１３】
次に本発明ATMブースの実施の形態例について、図を参照して説明する。図１は本発明ATMブースの平断面図、図２は図１のATMブースのＸ−Ｘ線矢視断面図、図３は図１のATMブースのＹ−Ｙ線矢視断面図、図４は前壁ブース部材の正面図、図５は後壁ブース部材の正面図、図６は中間ブース部材の一例の正面図、図７は図６のブース部材の側面図、図８は床の一例の平面図、図９は中間ブース部材の連結構造を説明するための断面図である。
【００１４】
本発明ATMブースの一例を示した図１〜図３において、１は当該ブースの正面に位置した扉1bを有する出入口1aを設けた前壁ブース部材で、扉1bはここでは引戸式であるが、スイング式扉であってもよい。２は本発明ATMブースにおいて背面（後面）に位置した後壁ブース部材、３〜６は前記の前，後壁ブース部材１，２の間に挟まれるように配設した正面からみて略門型をなす天井と側壁を一体に形成した中間ブース部材、７は前記各ブース部材１〜６が連結されて立設固定される床である。本発明では、床７も各中間ブース部材３〜６と一体にした分割態様とすることができる。
【００１５】
前後の壁ブース部材１，２と、中間ブース部材３〜６については、図４〜図７により説明する。図４に示す出入口1aを有する前壁ブース部材１は、鉄筋コンクリート製であって出入口1aが正面から見て、ここでは左寄りに形成され、その出入口1aの脇にはガラスブロックによる明り取り窓1cが形成されている。出入口1aは、その内周面が鉄板やアングル材などの補強材1a´により補強されている。また、前記の窓1cは、防盗性確保のため、仮に破壊されても人が出入できない大きさ（幅，高さ）であることが望ましいが、このような窓1cを設けないものであってもよい。このブース部材１の外周縁近くには、中間ブース部材３と連結するための連結ボルト用の孔1dが略等ピッチで列設されている。図示した例では、17個のボルト孔が形成されているが、この孔1dを何個設けるかは、任意である。また、このブース部材１の下端部には、適宜間隔でフランジなどによる継手部材1eが、後に説明する床７との結合のために設けられている。
【００１６】
図５に示す後壁ブース部材２は、図４の前壁ブース部材１と同様に鉄筋コンクリート製でその外形と略同形であるが、出入口や明り取り窓は設けられていない。前記窓1cと同旨の窓を設けるかどうかは任意である。このブース部材２のボルト孔2aは、前記ブース部材１のボルト孔1dと同じ位置，同じ数が設けられる。2bは、前記ブース部材１と同様に、このブース部材２の下端部に設けた継手部材である。
【００１７】
図６，図７は中間ブース部材３の一例であり、正面視略門型をなすコンクリート製のブース部材であり、その肉厚内部には、上記ブース部材１，２のボルト孔1d，2aと同じ位置，数のボルト孔3aが形成されている。
上記のボルト穴3aのうち上，下部の２箇所のボルト穴は、このブース部材３の奥行き方向に貫通した連結棒用の穴3b（連結棒穴3bという）に形成されていると共に、この穴3bの中間にボルト脱着操作用のボルトボックス3cを備えている。
なお、このブース部材３の側壁面には、前述の窓1cと同旨の明り取り窓3dが形成されているが、この窓3dを設けるかどうかは任意である。3eはこの部材３を床７に固定するための継手部材である。なお、この他の中間ブース部材４〜６は、窓3dが設けられない点でこの中間ブース部材３と異なるだけで、ボルト孔，連結棒穴，継手部材の位置や数などは同じである。
【００１８】
図８に示した床７は、ここではATMを設置したい場所にコンクリート打設により形成した床スラブ7aの上に、本発明ATMブースの平面形状に則ってスラブ面より少し凸出した床枠7bを形成し、該枠7bに、前記の各ブース部材１〜６が備えている継手部材1eなどを結合するための連結部7cを設けて形成されている。
【００１９】
ここで、上述した本発明ATMブース用の各ブース部材１〜６は、その強度を高めてATMブースとしての防盗性，耐破壊性を高めるため、鉄筋コンクリート製であるが、内挿される鉄筋は、一例として、140〜150mm程度の間隔で、少なくとも２層配筋とすることにより、重機による攻撃に対しても充分に抵抗できる強度が付与されている。
【００２０】
上記のように構成される本発明ATMブース用の各ブース部材は、この種ブロックの製造工場において、各ブース部材１〜６ごとブース部材のユニットとして製造され、ATMブースの設置現場で別途施工された床７がある場所に、貨物トラック等に載せて搬入され、その搬入現場において各ユニットを結合一体化することによりATMブースに組立てることができる。
【００２１】
組立に当っては、各ブース部材１〜６が、床７における床枠7bの上の所定位置に位置決めされてそれぞれの継手部材1e〜において、当該床枠7bに設けられた連結部材7cにボルト締めなどにより固定することにより、床枠7bの上に立設される。
【００２２】
各ブース部材１〜６の所定位置での立設においては、各部材１〜６同士が夫々のボルト穴1d〜、及び、連結棒穴3b〜に通すボルトやボルト杆によって連結されると共に、夫々のボルト締めによって緊締結合され強固に一体化される。図９は隣合う中間ブース部材３〜６の間の連結棒穴3bにボルト杆８を挿入して隣合う両ブース部材のボルトボックス3cにおいてボルト8aを締込むことにより、隣合うブース部材同士の結合態様を示した部分断面図である。なお、ボルト杆８には、各ブース部材１〜６を貫通する態様の長さのものを使用して、各ブース部材１〜６を貫通ボルト杆により結合することもできる。
【００２３】
以上のようにして作製された本発明ATMブースの一例が図１〜図３に示されている。
図１〜図３において、９はこのブースの内部に配設した中仕切壁、10は該仕切壁９の扉付き出入口で、このブース内部は、図１の壁９の左側が来客側スペースVs、右側がATM本体側スペースMsであり、ここでは２台のATM機Cdが、その操作部を左側のスペースVsに露出させ、本体側を右側のスペースMsの内部に位置付けて設置されている。なお、このATMブースでは、来客側スペースVsにおけるATM機Cdは、時間外などには、その前面側にシャッタ11を降して閉鎖できるように形成されている。また、ブース内の照明設備，空調設備などは、必要に応じて適宜設置することとなる。
【産業上の利用可能性】
【００２４】
本発明ATMブースは以上の通りであって、ATMブースを、床，天井及び側壁をコンクリート製で形成すると共に、そのブースを、当該ブースの少なくとも天井と側壁において前，後部又は左右で少なくとも２分したブース部材を結合一体化することにより形成したから、建設機械などの重機による破壊攻撃に対し十分な強度を発揮する強固なATMブースを製造することができる。
【００２５】
また、上記ATMブースは、それを構成する部材を分割型のブース部材としたから、コンクリートブロック製造工場で各ブース部材のユニットとして製造し、ATM設置現場に各ブース部材のユニットを搬入してそこで各ユニットを結合一体化して組立てるから、現場工期がきわめて短かくて済み、また、施工内容も至ってシンプルである。
【００２６】
そして、このATMブースを構成するための各ブース部材は、暗渠ブロック用などの型枠技術を利用して製造できる形態であるから、低コストで容易な製造が可能になり、従って、耐破壊性能が高いコンクリート製の強固なATMブースを低コストで迅速に提供することができる。
【図面の簡単な説明】
【００２７】
【図１】本発明ATMブースの平断面図。
【図２】図１のATMブースのＸ−Ｘ線矢視断面図。
【図３】図１のATMブースのＹ−Ｙ線矢視断面図。
【図４】前壁ブース部材の正面図。
【図５】後壁ブース部材の正面図。
【図６】中間ブース部材の一例の正面図。
【図７】図６のブース部材の側面図。
【図８】床の一例の平面図。
【図９】中間ブース部材の連結構造を説明するための断面図。
【符号の説明】
【００２８】
１        前壁ブース部材
２        後壁ブース部材
３〜６    中間ブース部材
７        床
【図１】
2006134240.tif 000003
【図２】
2006134240.tif 000004
【図３】
2006134240.tif 000005
【図４】
2006134240.tif 000006
【図５】
2006134240.tif 000007
【図６】
2006134240.tif 000008
【図７】
2006134240.tif 000009
【図８】
2006134240.tif 000010
【図９】
2006134240.tif 000011